(57)【要約】【課題】原稿搬送装置で発生した電気ノイズに起因する放射ノイズの少ない画像形成装置を提供する。【解決手段】ヒンジの導電性のブラケット下５３は、非導電部材で構成されたヒンジホルダ５４に嵌合しつつ位置決めされ、更にヒンジホルダ５４より下面に貫通して、スキャナ装置３３内部品に接触することなく支持部５０内の画像形成部１に構成された本体アース部となる本体フレーム５７まで到達しネジ５８により圧接固定される。原稿搬送装置３２の信号線５６はグランド線もしくはアース線５５を本体アース部となる本体フレーム５７にネジ５８にブラケット下５３と共締めする。プラテンガラス３４とプラテンカバー３１が共に非導電性なので原稿搬送装置３２で発生した電気ノイズは原稿読取装置３３を通過せずに画像形成部１の装置構造体をグランドアースする部位に到達し、外部に放射されることなく減衰する。【選択図】図４
2010288241.tif 000002
【特許請求の範囲】
【請求項１】
ヒンジにより開閉自在とした原稿搬送装置を、原稿読取装置の原稿載置部を開、閉するために備える画像形成装置において、
前記ヒンジを、前記原稿読取装置の非導電部材で支え、かつ、
前記原稿読取装置を貫通させ、該原稿読取装置の下部に位置する装置構造体を介して電気的にグランドアース接続する、
ことを特徴とする画像形成装置。
【請求項２】
ヒンジを備える開閉機構部が設けられた原稿搬送装置を、原稿読取装置の原稿載置部を開、閉するために開閉自在として備える画像形成装置において、
前記ヒンジを、前記原稿読取装置の非導電部材で支え、かつ、
前記原稿読取装置を貫通させ、該原稿読取装置の下部に位置する装置構造体を介して電気的にグランドアース接続させてなる、
ことを特徴とする画像形成装置。
【請求項３】
原稿画像を照明し、その反射光を光電変換素子上に結像して、原稿画像を電子データとして読み取る原稿読取装置と、
該原稿読取装置の上部に位置し、該原稿読取装置に原稿を搬送する原稿搬送装置と、
前記原稿読取装置の下部に位置し、電子データ化された画像を用紙等に形成させる画像形成部と、
を備えた画像形成装置において、
前記原稿読取装置の原稿載置部を開、閉するために前記原稿搬送装置を開閉自在とする開閉機構部が設けられ、
該開閉機構部のヒンジは、導電性材料で構成されると共に、前記原稿搬送装置の装置構造体をなす金属フレーム部品を介して電気的にグランドアースされ、
該ヒンジは、前記原稿読取装置の非導電部材で支えられつつ、前記原稿読取装置を貫通し、前記装置構造体への接続部位に圧接する、
ことを特徴とする画像形成装置。
【請求項４】
請求項１から３のいずれか１項に記載の画像形成装置において、
前記ヒンジを、前記装置構造体への接続部にネジ止めしてなる、
ことを特徴とする画像形成装置。
【請求項５】
請求項１から４のいずれか１項に記載の画像形成装置において、
前記原稿搬送装置の制御基盤から前記画像形成部の制御基盤へ接続される信号線のグランド線もしくはアース線を、前記装置構造体への接続部に接続させてなる、
ことを特徴とする画像形成装置。
【請求項６】
請求項５に記載の画像形成装置において、
前記信号線のグランド線もしくはアース線が前記装置構造体への接続部と前記ヒンジとに同一のネジによって共締めされてなる、
ことを特徴とする画像形成装置。
【発明の詳細な説明】
【技術分野】
【０００１】
本発明は、複写機、ファクシミリ、これらの複合機等のように、原稿読取装置を有する画像形成装置に関する。
【背景技術】
【０００２】
この種の画像形成装置に関しては、たとえば特許文献１には、簡単な機構でヒンジ部の機能を損なうことなく、画像読取装置に対する自動原稿送り装置の開閉状態にかかわらず、画像読取装置と自動原稿送り装置との間に安定した電気的なアース接続を行い、放射ノイズの発生を低減させようとするものが開示されている。そのため、画像読取装置に対してヒンジ部によって回動可能に支持された自動原稿送り装置において、ヒンジ部は、画像読取装置側に固定される第１の板金と、自動原稿送り装置側に固定される第２の板金と、第１の板金と第２の板金を回動可能に支持する回転軸とを有し、第１の板金と第２の板金の前記回転軸と垂直な二つの面にそれぞれ同時に圧接されるコイルバネにより電気的に接続して構成する発明が開示されている。
【０００３】
この発明では、自動原稿送り装置と画像読取装置をヒンジ及びコイルバネにより電気的に接続し電気的なアース接続を行い、放射ノイズの発生を低減させようとしているが、画像読取装置の筐体が一般的には大きな平面部を持つ金属フレーム持つ場合、自動原稿送り装置で発生したノイズの周波数と共振して、金属フレームがアンテナとなり放射ノイズが大きくなってしまう不具合が発生する場合がある。
【０００４】
また例えば特許文献２には、それぞれ電気回路を内蔵した二つの装置間を開閉可能に接続するためのヒンジ装置において、低コスト及び小型な構成で、放射ノイズの発生を抑制することができるようにするために、ＤＦ本体とリーダー本体にそれぞれ固定された金属製の上ヒンジと下ヒンジを機械的に結合してヒンジ装置を構成し、該上ヒンジと下ヒンジにＤＦ本体とリーダー本体間を電気的に接続するケーブルを貫通させるための開口部をそれぞれ設け、該開口部がヒンジの回転中心軸に対して、ヒンジが閉じるときに上ヒンジと下ヒンジ間の距離が離れる側にあるように構成する発明が開示されている。
【０００５】
しかしこの発明では、ＤＦ本体とリーダー本体をヒンジ装置によって電気的に接続し、信号ケーブルをそのヒンジ装置内部を通過することにより、信号ケーブルから発せられる放射ノイズを抑えるようにしているが、リーダーの金属フレームが大きな平面部を持つ場合、ＤＦ本体で発生したノイズの周波数と共振して、金属フレームがアンテナとなり放射ノイズが大きくなってしまう不具合が発生する場合がある。
【０００６】
さらに特許文献３には、自動原稿搬送装置のＧＮＤを強化し、発生する静電気を効率よく除去して、コンタクトガラス等の開口部からの電波放射や、制御基板のＧＮＤの浮きによる電圧降下を防止した自動原稿搬送装置を提供するために、セットした原稿を所定位置に搬送して排出する自動原稿搬送装置であって、この自動原稿搬送装置は、画像形成装置本体上面に、上面の一端面を支点として画像形成装置上面に対し開閉自在に設置され、自動原稿装置フレームの一部には導電性部材が設けられ、閉時に自動原稿装置フレームの一部と画像形成装置上面フレームとが導電性部材により接触する自動原稿搬送装置が開示されている。
【０００７】
この装置では、自動原稿装置フレームを閉めた場合に、ヒンジ側とは反対側端部にて画像形成装置上面フレームと導電性部材により接触することによってアースを強化し放射ノイズを低減させるようにしているが、画像読取装置の筐体が一般的には大きな平面部を持つ金属フレーム持つ場合、自動原稿送り装置で発生したノイズの周波数と共振して、金属フレームがアンテナとなり放射ノイズが大きくなってしまう不具合が発生する場合がある。
【発明の概要】
【発明が解決しようとする課題】
【０００８】
そこで本発明は、上述した従来の問題点にかんがみ、原稿搬送装置で発生した電気ノイズを、ヒンジ部を原稿読取装置に接続せずに直接画像形成部の金属フレームに接地し、放射ノイズの少ない画像形成装置を提供することを目的とする。
【課題を解決するための手段】
【０００９】
本発明の画像形成装置のうち請求項１に係るものは、ヒンジにより開閉自在とした原稿搬送装置を、原稿読取装置の原稿載置部を開、閉するために備える画像形成装置において、前記ヒンジを、前記原稿読取装置の非導電部材で支え、かつ、前記原稿読取装置を貫通させ、該原稿読取装置の下部に位置する装置構造体を介して電気的にグランドアース接続することを特徴とする。
【００１０】
請求項２に係るものは、ヒンジを備える開閉機構部が設けられた原稿搬送装置を、原稿読取装置の原稿載置部を開、閉するために開閉自在として備える画像形成装置において、前記ヒンジを、前記原稿読取装置の非導電部材で支え、かつ、前記原稿読取装置を貫通させ、該原稿読取装置の下部に位置する装置構造体を介して電気的にグランドアース接続させてなることを特徴とする。
【００１１】
請求項３に係るものは、原稿画像を照明し、その反射光を光電変換素子上に結像して、原稿画像を電子データとして読み取る原稿読取装置と、該原稿読取装置の上部に位置し、該原稿読取装置に原稿を搬送する原稿搬送装置と、前記原稿読取装置の下部に位置し、電子データ化された画像を用紙等に形成させる画像形成部と、を備えた画像形成装置において、前記原稿読取装置の原稿載置部を開、閉するために前記原稿搬送装置を開閉自在とする開閉機構部が設けられ、該開閉機構部のヒンジは、導電性材料で構成されると共に、前記原稿搬送装置の装置構造体をなす金属フレーム部品を介して電気的にグランドアースされ、該ヒンジは、前記原稿読取装置の非導電部材で支えられつつ、前記原稿読取装置を貫通し、前記装置構造体への接続部位に圧接することを特徴とする。
【００１２】
請求項４に係るものは、請求項１から３のいずれか１項に記載の画像形成装置において、前記ヒンジを、前記装置構造体への接続部にネジ止めしてなることを特徴とする。
【００１３】
請求項５に係るものは、請求項１から４のいずれか１項に記載の画像形成装置において、前記原稿搬送装置の制御基盤から前記画像形成部の制御基盤へ接続される信号線のグランド線もしくはアース線を、前記装置構造体への接続部に接続させてなることを特徴とする。
【００１４】
請求項６に係る画像形成装置は、請求項５に記載の画像形成装置において、前記信号線のグランド線もしくはアース線が前記装置構造体への接続部と前記ヒンジとに同一のネジによって共締めされてなることを特徴とする。
【発明の効果】
【００１５】
本発明によれば、画像形成装置の原稿搬送装置は原稿読取装置の原稿載置部を開放するために開閉自在に構成する。開閉機構部のヒンジは、導電性材料で構成し、原稿搬送装置の金属フレーム部品等の装置構造体を介して電気的にグランドアースさせる。ヒンジは原稿読取装置の非導電部材で支えられつつ、原稿読取装置を貫通して画像形成部の装置構造体に圧接させる。放射ノイズの少ない画像形成装置として構成できる。
【図面の簡単な説明】
【００１６】
【図１】本発明の実施対象となる画像形成装置の一例を示す概略構成図
【図２】同概略垂直断面図
【図３】同原稿搬送装置を上方に開放し、プラテンガラスに原稿を載置できる状態の図
【図４】図３の状態のときの断面図
【発明を実施するための形態】
【００１７】
本発明は、限定されるものではないが、特には最近開発が進んでいる小型の画像形成装置に関するものであり、ＡＤＦヒンジをスキャナを通さずに直接本体装置に装着できない構成の画像形成装置に対するものであり、ヒンジは原稿読取装置の非導電部材で支えられつつ、原稿読取装置を貫通して装置構造体を介して電気的にグランドアース接続させてなることを特徴としている。
【実施例１】
【００１８】
以下、本発明を適用した画像形成装置の実施例について説明する。
図１は本発明に係る画像形成装置の外観斜視図、図２はその画像形成装置の一例を示す概略垂直断面図である。この図１及び図２に示す本実施例の画像形成装置は画像形成部１の中央に画像形成部２、その下部に当該画像形成部２で画像が形成されるシートを給紙する給紙部２０、画像形成部２の上方に画像読み取り部３０を配したスキャナ付きのタンデムタイプのカラー画像形成装置である。
【００１９】
画像形成部２には、像担持体として構成された複数のドラム状の感光体３ａ、３ｂ、３ｃ、３ｄを有し、その各感光体３ａ〜３ｄ（なお以下で色を表す必要がない場合には、単に感光体３と記載する。）には、互いに異なった色のトナー像がそれぞれ形成される。図示した例では、感光体３ａ〜３ｄの表面に、イエロートナー像、シアントナー像、マゼンタトナー像及び黒トナー像がそれぞれ形成される。各感光体３ａ〜３ｄは、所定の間隔をあけて互いに平行に配置され、この感光体３ａ〜３ｄの下部に対向して中間転写体として構成された中間転写ベルト４が配置されており、この中間転写体としてはドラムを用いることもできるが、図示した例では複数の支持ローラ５、６に巻き掛けられて矢印方向に駆動される無端ベルトが用いられている。
【００２０】
感光体３の周囲には感光体の表面に帯電処理を行う帯電装置７、画像情報を感光体表面にレーザ光で照射する光走査装置（ＬＳＵ）８、露光により感光体３の表面に形成された静電潜像を可視像化する現像装置９、中間転写ベルト４を介して感光体３と対向配置された転写装置１０、中間転写ベルト４に転写後の感光体３表面に残留するトナーを除去回収するクリーニング装置１１が設けられている。
【００２１】
このような画像形成装置において画像形成が開始されると、感光体３が図１における反時計方向に回転駆動され、このとき帯電装置７によって感光体３の表面が所定の極性に帯電される。次いで、その帯電面に、光走査装置８から画像情報に基づくレーザ光が照射され、これによって感光体３に静電潜像が形成される。そして、感光体３の表面に形成された静電潜像は、現像装置９によってトナー像として可視像化され、トナー像は転写装置１０によって中間転写ベルト４上に転写される。
【００２２】
カラー画像形成時は上述した画像形成動作が全ての感光体３で行われ、これによって各感光体３ａ〜３ｄにそれぞれ形成されたイエロートナー像、シアントナー像、マゼンタトナー像及び黒トナー像が中間転写ベルト４上に順次重ねて転写される。また、画像形成装置には中間転写ベルト４を挟んで、支持ローラ６に対向して２次転写ローラ１２が配置されている。
【００２３】
一方、画像形成部２の下部に配置された給紙部２０には、転写紙又は樹脂フィルムなどからなるシートＳを積載するシート収容部としての給紙トレイ２１、該給紙トレイ２１に積載されたシートＳを送り出す給紙コロ２２、重送されたシートを１枚に分離する分離手段としてのフリクションパッド２３、両面画像形成時に用いる再搬走路２４等が設けられている。
【００２４】
給紙部２０から給紙されたシートＳは、レジストローラ１３に向けて送り出され、その先端が停止しているレジストローラ１３に突き当てられる。これによってシートＳが整合された後、レジストローラ１３は中間転写ベルト４上に形成されたカラートナー像が２次転写ローラ１２を備えた２次転写部でシートＳの先端部と合致するようなタイミングで回転を再開し、２次転写部に向けてシートＳを送り出す。なお２次転写部の構成は種々公知であり、本発明は図示の例のものに限定されない。
【００２５】
２次転写部で未定着トナー像が転写されたシートＳは、定着部１４に送られ、シートＳに未定着トナー像が定着された後、画像形成部１の上部に設けられたシート積載部４０に排出される。なお、トナー像転写後の中間転写ベルト４の表面に付着する転写残トナーはベルト用のクリーナー１５によって除去される。
【００２６】
画像読み取り部３０は、原稿読取装置３３の上部に構成されるプラテンガラス３４の上に原稿をセットして、原稿の画像を走査する機構が設けられており、その原稿を押圧保持させるためのプラテンカバー３１が設けられている。プラテンカバー３１は、原稿自動送り装置（以下では原稿搬送装置と記載する場合もある。）３２に具備されており、前記画像読み取り部３０は、静止原稿と原稿搬送装置置３２により送られる移動原稿の読み取りを行うことができる。また、画像読み取り部３０は、下部に配置される画像形成部１に対して支持部５０を介して支持されている。
【００２７】
なお、符号１６は画像読み取り部３０と画像形成部２との操作の制御を行うコントロールパネルであり、このコントロールパネル１６を配した側を装置の正面になる。したがって、本装置ではシート積載部４０に排出されるシートが装置の後側から前側に向かって排紙される。
【００２８】
図３は原稿搬送装置３２を上方に開放し、プラテンガラス３４に原稿を載置できる状態にした図である。図４はそのときの断面図である。原稿搬送装置３２を上方に開放するための機構としてヒンジを備えている。ヒンジは原稿搬送装置３２に固定される導電性のブラケット上５１と、画像形成部１に固定される導電性のブラケット下５３と、ブラケット上５１とブラケット下５３とを回転自在に軸支する導電性の回転軸５２から構成されている。
【００２９】
ブラケット上５１は、原稿搬送装置３２の機械的アース機能を持つ金属フレームもしくは導電性部材に固定されて原稿搬送装置３２の導電性部品と電気的に導通していると共に原稿搬送装置３２の制御基板のグランドとも導通している。またブラケット下５３は、画像形成部１の機械的アース機能を持ち、原稿読取装置の下部に位置する装置構造体、例えば金属フレームもしくは導電性部材または本体アース部（以下、この明細書では、特に必要がなければこれらを本体アース部と総称する。）に固定されて画像形成部１の導電性部品と電気的に導通していると共に画像形成部１の制御基板のグランドとも導通してアース接続されている。
【００３０】
さらに、ブラケット下５３は、原稿読取装置３３に固定され、非導電部材で構成されたヒンジホルダ５４に嵌合しつつ位置決めされ、更にヒンジホルダ５４より下面に貫通して、スキャナ装置３３内部品に接触することなく支持部５０内の画像形成部１に構成された本体アース部となる本体フレーム５７まで到達しネジ５８により圧接固定されている。なおネジ５８は無くても、あるいは図示せぬ押圧部材により互いに押し付けられて圧接していても良い。
【００３１】
原稿搬送装置３２の信号線５６はグランド線もしくはアース線５５を伴い、原稿自動送り装置３２の後ろ側から画像形成部１に接続されるが、グランド線もしくはアース線５５は、画像形成部１内で単独に本体アース部となる本体フレーム５７にネジ５８により固定されている。このときブラケット下５３も同じ位置、同じネジ５８により同時に共締めされている。
【００３２】
原稿搬送装置３２は、原稿読取装置３３に対して閉じた場合でも、ヒンジ以外にメカ的に接触する部分はプラテンガラス３４とプラテンカバー３１のみで、共に非導電性でありその部分での導通はない。
【００３３】
以上述べてきた構成により、原稿搬送装置３２で発生した電気ノイズは原稿読取装置３３を通過することなく画像形成部１の本体アースに到達し、外部に放射することなく減衰する。
【００３４】
すなわち本発明では、放射ノイズの少ない画像形成装置を提供するために、原稿画像を照明し、その反射光を光電変換素子上に結像して、原稿画像を電子データとして読み取る原稿読取装置と原稿読取装置の上部に位置し、原稿読取装置に原稿を搬送する原稿搬送装置と原稿読取装置の下部に位置し、電子データ化された画像を用紙等に形成させる画像形成部とを備えた画像形成装置において、原稿搬送装置は原稿読取装置の原稿載置部を開放するために開閉自在に構成する。開閉機構部のヒンジは、導電性材料で構成されると共に、原稿搬送装置の金属フレーム部品と電気的に接地させる。ヒンジは原稿読取装置の非導電部材で支えられつつ、原稿読取装置を貫通して画像形成部の本体アース部に圧接されているので、放射ノイズの少ない画像形成装置として構成し得る。
【００３５】
また本発明では、放射ノイズの少ない画像形成装置を提供するために、ヒンジは画像形成部の本体アース部にネジ止めする。そのため、さらに原稿搬送装置３２と画像形成部１の本体アースが強化され、放射ノイズの少ない画像形成装置とし得る。
【００３６】
さらに本発明では、放射ノイズの少ない画像形成装置を提供するために、原稿搬送装置の制御基盤から画像形成部の制御基盤へ接続される信号線のグランド線もしくはアース線が画像形成部の本体アース部に接続される。そのためさらに、原稿搬送装置３２と画像形成部１の本体アースが強化され、放射ノイズの少ない画像形成装置とし得る。
【００３７】
またさらに本発明では、放射ノイズの少ない画像形成装置を提供するために、信号線のグランド線もしくはアース線が画像形成部の本体アース部とヒンジとに同一のネジによって共締めされているので、更に原稿搬送装置３２と画像形成部１の本体アースが強化され放射ノイズの少ない画像形成装置とし得る。
【符号の説明】
【００３８】
１：画像形成部
２：画像形成部
３（３ａ、３ｂ、３ｃ、３ｄ）：感光体
４：中間転写ベルト
５、６：支持ローラ
７：帯電装置
８：光走査装置（ＬＳＵ）
９：現像装置
１０：転写装置
１１：クリーニング装置
１２：２次転写ローラ
１４：定着部
１５：クリーナー
１６：コントロールパネル
２０：給紙部
２１：給紙トレイ
２２：給紙コロ
２３：フリクションパッド
２４：再搬走路
３０：画像読み取り部
Ｓ：シート
４０：シート積載部
３０：画像読み取り部
３１：プラテンカバー
３２：原稿自動送り装置（原稿搬送装置）
３３：原稿読取装置
３４：プラテンガラス
５０：支持部
５１：ブラケット上
５２：回転軸
５３：ブラケット下
５４：ヒンジホルダ
５５：アース線
５６：信号線
５７：本体フレーム
５８：ネジ
【先行技術文献】
【特許文献】
【００３９】
【特許文献１】特開２００５−１６５１７７号公報
【特許文献２】特開２００４−２３２７８２号公報
【特許文献３】特開２００５−０９９６０１号公報
【特許文献４】特開２００５−１６５１７７号公報
【図１】
2010288241.tif 000003
【図２】
2010288241.tif 000004
【図３】
2010288241.tif 000005
【図４】
2010288241.tif 000006